(57)【要約】      （修正有）【課題】センタで車両の搭乗者による車両状態の把握等を遠隔支援する場合に、セキュリティ性の向上を図ることが可能な車両用遠隔支援システムを提供する。【解決手段】車載機器の状態を含む車両状態を表示する車載表示部と、搭乗者による操作を受け付ける操作部と、サーバと通信可能に構成され、車載表示部の表示画面に対応する画像データをサーバに送信する通信部と、を備える車両１００と、サーバにより受信される画像データに基づき、車両の搭乗者による車両状態の把握及び車載機器の操作の少なくとも一方を遠隔支援する遠隔支援部を備えるセンタ２００と、を含む。遠隔支援部は通信部からサーバへの画像データの送信を要求する指令をサーバに出力し、サーバは指令を記憶し、通信部はサーバとの通信を行い、記憶される指令の存在を確認し、かつ、操作部における画像データのサーバへの送信を承諾する操作が行われた場合、画像データをサーバに送信する。【選択図】図２
2017004116.tif 000002
【特許請求の範囲】
【請求項１】
車載機器の状態を含む車両状態を表示する車載表示部と、前記車載機器の操作を含む搭乗者による操作を受け付ける操作部と、サーバと通信可能に構成され、前記車載表示部の表示画面に対応する画像データを前記サーバに送信する通信部と、を備える車両と、
前記画像データを受信する前記サーバと、前記サーバにより受信される前記画像データに基づき、前記車両の搭乗者による前記車両状態の把握及び前記車載機器の操作の少なくとも一方を遠隔支援する遠隔支援部と、を備えるセンタと、
を含む車両用遠隔支援システムであって、
前記遠隔支援部は、前記通信部から前記サーバへの前記画像データの送信を要求する指令を前記サーバに出力し、
前記サーバは、前記遠隔支援部から出力される前記指令を記憶し、
前記通信部は、定期的に前記サーバとの通信を行い、前記サーバに記憶される前記指令の有無を確認すると共に、前記指令の存在を確認し且つ前記操作部における前記画像データの前記サーバへの送信を承諾する操作が行われた場合、前記画像データを前記サーバに送信することを特徴とする、
車両用遠隔支援システム。
【発明の詳細な説明】
【技術分野】
【０００１】
本発明は、車両と車両の遠隔に位置するセンタとの連携によって、車両の搭乗者による車両状態の把握や車載機器の操作をセンタから支援する車両用遠隔支援システムに関する。
【背景技術】
【０００２】
従来から、車両の遠隔に位置するセンタからの支援により、車両の搭乗者による車載機器の操作等を支援する車両用遠隔支援システムが知られている（例えば、特許文献１等）。
【０００３】
特許文献１では、センタからの要求に応じて、車両用表示装置の表示内容（車両状態、操作画面等）に関する情報を車両からセンタに送信し、センタでは、画像データに基づき、支援用データを作成して、車両に送信する。これにより、センタで、車両用表示装置の表示内容（車両状態や操作画面等）を把握することが可能となり、把握される車両状態に応じた適切な遠隔支援を行うことができる。
【先行技術文献】
【特許文献】
【０００４】
【特許文献１】特開２０１３−２０６３１９号公報
【発明の概要】
【発明が解決しようとする課題】
【０００５】
しかしながら、特許文献１では、センタからの要求に応じて、自動的に車両からセンタへの情報の送信が行われるため、セキュリティ上の問題が生じるおそれがある。
【０００６】
そこで、上記課題に鑑み、車両から車載表示部に表示される車両状態等の情報をセンタに送信すると共に、かかる情報に基づき、センタで車両の搭乗者による車両状態の把握等を遠隔支援する場合に、車両からセンタへの情報の送信に関するセキュリティ性の向上を図ることが可能な車両用遠隔支援システムを提供することを目的とする。
【課題を解決するための手段】
【０００７】
上記目的を達成するため、一実施形態において、車両用遠隔支援システムは、
車載機器の状態を含む車両状態を表示する車載表示部と、前記車載機器の操作を含む搭乗者による操作を受け付ける操作部と、サーバと通信可能に構成され、前記車載表示部の表示画面に対応する画像データを前記サーバに送信する通信部と、を備える車両と、
前記画像データを受信する前記サーバと、前記サーバにより受信される前記画像データに基づき、前記車両の搭乗者による前記車両状態の把握及び前記車載機器の操作の少なくとも一方を遠隔支援する遠隔支援部と、を備えるセンタと、
を含む車両用遠隔支援システムであって、
前記遠隔支援部は、前記通信部から前記サーバへの前記画像データの送信を要求する指令を前記サーバに出力し、
前記サーバは、前記遠隔支援部から出力される前記指令を記憶し、
前記通信部は、定期的に前記サーバとの通信を行い、前記サーバに記憶される前記指令の有無を確認すると共に、前記指令の存在を確認し且つ前記操作部における前記画像データの前記サーバへの送信を承諾する操作が行われた場合、前記画像データを前記サーバに送信することを特徴とする。
【発明の効果】
【０００８】
本実施の形態によれば、車両から車載表示部に表示される車両状態等の情報をセンタに送信すると共に、かかる情報に基づき、センタで車両の搭乗者による車両状態の把握等を遠隔支援する場合に、車両からセンタへの情報の送信に関するセキュリティ性の向上を図ることが可能な車両用遠隔支援システムを提供することができる。
【図面の簡単な説明】
【０００９】
【図１】本実施形態に係る遠隔支援システムの構成及び動作の流れの一例を示す概略図である。
【図２】本実施形態に係る遠隔支援システムによる具体的な動作の流れの一例を示すシーケンス図である。
【図３】本実施形態に係る遠隔支援システムの構成及び動作の流れの他の例を示す概略図である。
【発明を実施するための形態】
【００１０】
以下、図面を参照して発明を実施するための形態について説明する。
【００１１】
図１は、本実施形態に係る遠隔支援システム１の構成及び動作の流れの一例を示す概略図である。
【００１２】
なお、図中の太い点線矢印は、遠隔支援システム１による動作の流れを表す。
【００１３】
遠隔支援システム１は、車両１００と情報センタ２００を含み、車両１００と情報センタ２００との連携によって、車両１００に搭乗するユーザＵによる車両状態の把握及び車載機器の操作の少なくとも一方を遠隔（情報センタ２００）から支援する。
【００１４】
なお、車載機器には、例えば、エンジン、ブレーキ装置、操舵装置、電動シート、電動ミラー、ナビゲーション装置、オーディオ装置、空調装置（エアコン）、各種センサ（車速センサ、燃料センサ等）が含まれる。
【００１５】
車両１００は、ユーザインターフェース（ＵＩ）装置１１０、通信機１２０、制御装置１３０等を含む。
【００１６】
ＵＩ装置１１０は、車両１００とユーザＵとのインターフェースの一つである。ＵＩ装置１１０は、入力手段として、車両１００に搭載される車載機器の操作を含むユーザＵによる操作を受け付ける操作部と、出力手段として、車両状態を表示する車載表示部を含み、例えば、タッチパネル式の液晶ディスプレイ等により構成される。
【００１７】
また、ＵＩ装置１１０は、マイクロフォン等の音声入力手段及びスピーカ等の音声出力手段を有し、ユーザＵが情報センタ２００に在中するオペレータＯＰと通話することが可能な通話機能を有する。ＵＩ装置１１０は、操作部におけるユーザＵによる所定の操作に応じて、かかる通話機能を起動する。そして、ＵＩ装置１１０は、ユーザＵが発話した音声に対応する音声データ（以下、「ユーザ音声データ」と称する）を取得すると共に、ユーザ音声データを通信機１２０に出力する。また、ＵＩ装置１１０は、通信機１２０から転送されるオペレータＯＰが発話した音声に対応する音声データ（以下、「オペレータ音声データ」と称する）を変換し音声として出力する。
【００１８】
また、ＵＩ装置１１０は、通信機１２０から転送されるコマンド（情報センタ２００からＵＩ装置１１０に指定の動作を要求する指令）を受信すると、かかるコマンドに応じて、指定の動作を実行する。特に、ＵＩ装置１１０は、画面転送コマンド（ＵＩ装置１１０の表示画面に対応する画像データ（以下、「表示画像データ」と称する）の情報センタ２００への送信を要求する指令）を受信すると、情報センタ２００への表示画像データの送信を承諾するための承諾画面を表示する。そして、ＵＩ装置１１０は、ユーザＵにより情報センタ２００への表示画像データの送信を承諾する操作（例えば、タッチパネル式の液晶ディスプレイに表示される承諾ボタンをタッチする操作）が行われると、表示画像データを通信機１２０に出力する。
【００１９】
なお、ＵＩ装置１１０に表示される車両状態には、各種センサにより検出される検出値（例えば、車速、燃料残量等）や車載機器の制御状態（例えば、空調装置の設定温度やナビゲーション装置の設定された出発地・目的地等）が含まれる。
【００２０】
通信機１２０は、通信ネットワーク３００を介して、情報センタ２００（に含まれる車両情報サーバ２１０）との無線通信を行う。通信機１２０は、ＵＩ装置１１０から出力されるユーザ音声データを車両情報サーバ２１０に送信する。また、通信機１２０は、車両情報サーバ２１０から送信されるオペレータ音声データを受信すると共に、ＵＩ装置１１０に転送する。
【００２１】
また、通信機１２０は、定期的に（所定時間間隔で）、車両情報サーバ２１０との通信を行い、車両情報サーバ２１０に記憶されるコマンドの有無を確認する（以下、かかる通信態様を「定期通信」と称する）。通信機１２０は、定期通信の結果、車両情報サーバ２１０に車両１００に対するコマンドが存在する場合、車両情報サーバ２１０からコマンドを受信すると共に、ＵＩ装置１１０に転送する。また、通信機１２０は、ＵＩ装置１１０において、ユーザＵによる情報センタ２００への画像データの送信を承諾する操作が行われると、ＵＩ装置１１０から出力される表示画面に対応する画像データ（表示画像データ）を車両情報サーバ２１０へ送信する。以下、車両１００（通信機１２０）から情報センタ２００（車両情報サーバ２１０）への表示画像データの送信を「画面転送」と称する。
【００２２】
なお、通信機１２０による無線通信の制御は、通信機１２０自身により実行されてもよいし、ＵＩ装置１１０により実行されてもよい。また、通信ネットワーク３００は、例えば、携帯電話網である。
【００２３】
制御装置１３０は、例えば、主にマイクロコンピュータ等により構成される電子制御ユニット（ＥＣＵ：Ｅｌｅｃｔｒｉｃ  Ｃｏｎｔｒｏｌ  Ｕｎｉｔ）であり、車載機器の制御を行う。制御装置１３０は、各車載機器に対応する制御装置１３０ａ、１３０ｂ、…を含み、各制御装置１３０ａ、１３０ｂ、…は、車載ＬＡＮ１４０を介してＵＩ装置１１０と通信可能に接続される。各制御装置１３０ａ、１３０ｂ、…は、ＵＩ装置１１０（操作部）から入力されるユーザＵによる操作内容（例えば、空調装置の温度設定等）に応じて、対応する車載機器の制御を実行する。
【００２４】
情報センタ２００は、車両１００の遠隔に位置し、車両情報サーバ２１０、端末２２０、問題解決サーバ２３０等を含む。
【００２５】
車両情報サーバ２１０は、車両１００（通信機１２０）から送信される情報（ユーザ音声データ、表示画像データ等）を、送信元である車両１００に対応する車両情報や顧客情報等と紐付けた上で、端末２２０に転送する。また、車両情報サーバ２１０は、オペレータＯＰの操作に応じて端末２２０から送信されるコマンド（ＵＩ装置１１０に指定の動作を要求する指令）を一時的に記憶すると共に、車両１００（通信機１２０）による定期通信に応じて、かかるコマンドを車両１００（通信機１２０）に送信する。
【００２６】
なお、車両情報サーバ２１０は、車両ＤＢ２１１内の車両に関するデータベースに登録される車両情報（固有のＩＤや車両仕様等）と、顧客ＤＢ２１２内の顧客に関するデータベースに登録される顧客情報に基づき、上記紐付けを行う。
【００２７】
端末２２０は、オペレータＯＰの操作に応じて、車両１００に搭乗するユーザＵによる車両状態の把握及び車載装置の操作の少なくとも一方を支援する。端末２２０は、オペレータＯＰによる操作を受け付ける操作部、車両１００（通信機１２０）から送信される表示画像データ等を表示する表示部を含む。また、端末２２０は、マイクロフォン等の音声入力手段及びスピーカ等の音声出力手段を有し、オペレータＯＰが車両１００のユーザＵと通話することが可能な通話機能を有する。これにより、オペレータＯＰは、通話機能を介して、ユーザＵの要望を把握し、要望に応じた回答（具体的な車両状態や操作方法等の伝達）を行うことができる。
【００２８】
また、端末２２０は、オペレータＯＰによる所定の操作に応じて、各種処理を実行する。端末２２０は、オペレータＯＰによる操作（例えば、所定の機能を起動させる操作）に応じて、コマンドを車両情報サーバ２１０に出力する。これにより、コマンドが、車両情報サーバ２１０を介して、車両１００（ＵＩ装置１１０）に送信されるため、オペレータＯＰは、ユーザＵの要望に応えるため、遠隔からＵＩ装置１１０に指定の動作を行わせることができる。即ち、オペレータＯＰは、ＵＩ装置１１０を遠隔操作することができる。
【００２９】
また、端末２２０は、オペレータＯＰによる所定の操作に応じて、問題解決サーバ２３０に問題解決依頼を出力する。これにより、オペレータＯＰは、自身の経験に加えて、問題解決サーバ２３０による対応案を用いて、ユーザＵの抱える問題に応えることができる。
【００３０】
問題解決サーバ２３０は、端末２２０から送信される問題解決依頼に応じて、車両状態の把握や車載機器の操作に関するユーザＵの抱える問題を解決するための対応案を生成する。例えば、問題解決サーバ２３０は、問題解決依頼に含まれる問題の内容に応じて、案内ＤＢ２３１内の各種問題に対する対応手法のデータベースを検索する等により、対応案を生成し、端末２２０に送信する。
【００３１】
なお、問題解決サーバ２３０は、端末２２０からの問題解決依頼の有無に関わらず、車両状態の把握や車載機器の操作に関するユーザＵの抱える問題を解決する対応案を出力してもよい。かかる場合、車両情報サーバ２１０は、車両１００（通信機１２０）から受信するユーザ音声データを問題解決サーバ２３０に転送し、問題解決サーバ２３０は、ユーザ音声データを処理して、問題の内容を把握する。そして、把握した問題を解決する対応案に関する情報を車両情報サーバ２１０に出力することにより、車両情報サーバ２１０を介して、車両１００（通信機１２０）に送信してよい。また、問題解決サーバ２３０は、問題解決のために表示画像データの取得が必要であると判断すると、車両情報サーバ２１０に画面転送コマンドを送信してもよい。
【００３２】
次に、図１に示す遠隔支援システム１による動作の流れを説明する。
【００３３】
なお、前提として、車両１００に搭乗するユーザＵとオペレータＯＰとの通話は、開始されている。
【００３４】
まず、ステップＳ１にて、オペレータＯＰは、ＵＩ装置１１０の表示画面を確認する必要があると判断すると、端末２２０で所定の操作を行い、画面転送機能を起動する。これにより、端末２２０は、車両１００と対応付けられた画面転送コマンドを生成すると共に、車両情報サーバ２１０に送信し、画面転送コマンドは、車両情報サーバ２１０にセット（記憶）される。
【００３５】
続いて、ステップＳ２にて、通信機１２０は、定期的に、車両情報サーバ２１０にセットされるコマンドの有無を確認し、画面転送コマンドの存在を確認すると、通信ネットワーク３００を介して、車両情報サーバ２１０から画面転送コマンドを取得する。そして、通信機１２０は、取得した画面転送コマンドをＵＩ装置１１０に転送する。
【００３６】
続いて、ステップＳ３にて、ＵＩ装置１１０は、情報センタ２００への表示画像データの送信を承諾するための承諾画面を表示する。ユーザＵは、かかる承諾画面の内容に沿って、情報センタ２００への表示画像データの送信を承諾する操作（承諾操作）を行う。
【００３７】
続いて、ステップＳ４にて、ＵＩ装置１１０は、ユーザＵによる承諾操作に応じて、画面転送コマンドに含まれる設定内容に従い、表示画像データを生成し、通信機１２０に出力し、通信機１２０は、かかる表示画像データを車両情報サーバ２１０に転送する。
【００３８】
かかる画面転送コマンドには、以下に示すような設定内容が含まれてよい。
・ＵＩ装置１１０が画面転送を開始するタイミング（例えば、即時、画面転送コマンドの受信から所定時間経過後、ユーザＵによる承認操作後等）
・ＵＩ装置１１０が２回目以降の画面転送を行うタイミング（例えば、表示画面が変化した時、表示画面が遷移した時、前回から所定時間Ｔ１経過後、情報センタ２００からの指定があった時等）
・表示画像データの品質（例えば、解像度と圧縮率の組み合わせ等により段階的に設定される）
・表示画像データの転送を停止するか否か
【００３９】
また、前回から所定時間Ｔ１経過後、即ち、所定時間Ｔ１間隔で、画面転送を行う旨の設定内容が含まれる場合、通常、ＵＩ装置１１０が所定時間Ｔ１毎に表示画像データを生成すると共に、通信機１２０が所定時間Ｔ１毎に表示画像データを車両情報サーバ２１０に転送する。但し、何等かの理由（通信状況の悪化等）により、通信機１２０から車両情報サーバ２１０への表示画像データの転送に、所定時間Ｔ１（例えば、１秒）より長い時間Ｔ２（例えば、２秒）かかるような状況下では、転送待ちの表示画像データが複数存在する場合が有り得る。そのため、通信機１２０は、ＵＩ装置１１０から受信した転送待ちの表示画像データが複数存在する場合、そのうち最新の表示画像データから優先して車両情報サーバ２１０に転送する。これにより、何等かの理由により、画面転送に遅延が生じても、情報センタ２００のオペレータＯＰは、ＵＩ装置１１０の最新の表示画面を把握することができる。また、通信機１２０は、画面転送に遅延が生じる状況が解消し、所定時間Ｔ１より短い時間Ｔ３（例えば、０．５秒）で表示画像データの転送が可能になった場合、時間Ｔ３毎に表示画像データの転送を実行する。これにより、ＵＩ装置１１０により表示画像データが生成される合間に、画面転送の遅延により、転送されていない表示画像データを車両情報サーバ２１０に転送することができる。即ち、ＵＩ装置１１０により生成された表示画像データを全て車両情報サーバ２１０に転送することができる。また、画面転送の遅延が生じ、通信機１２０に転送待ちの表示画像データが複数存在する状況になった場合、ＵＩ装置１１０が、遅延状況に応じて、表示画像データを生成する時間間隔を、所定時間Ｔ１から所定時間Ｔ１より長い時間Ｔ４（＞Ｔ２）にしてもよい。これにより、通信機１２０に存在する転送待ちの表示画像データを減少させることができるため、実質的に、画面転送の遅延を解消することができる。
【００４０】
より具体的な事例を用いて、かかる画面転送の遅延が生じた場合におけるＵＩ装置１１０及び通信機１２０の動作を説明する。以下、ＵＩ装置１１０が１秒毎に表示画像データを生成し、通信機１２０が１秒毎に表示画像データを車両情報サーバ２１０に転送する前提（設定内容）の下、通信機１２０から車両情報サーバ２１０への表示画像データの転送に２秒かかる状況を想定する。
【００４１】
ＵＩ装置１１０は、１秒毎に、表示画像データＤ１、Ｄ２、Ｄ３、Ｄ４、Ｄ５、Ｄ６、Ｄ７、Ｄ８、Ｄ９、...を順次生成し、通信機１２０に出力する。これに対して、通信機１２０は、以下の（１）〜（９）のように動作する。
【００４２】
（１）通信機１２０は、表示画像データＤ１を受信すると、表示画像データＤ１を車両情報サーバ２１０に転送する。通信機１２０は、表示画像データを車両情報サーバ２１０に転送するのに２秒かかるので、表示画像データＤ１を転送している間に、ＵＩ装置１１０から表示画像データＤ２、Ｄ３を受信する。
【００４３】
（２）通信機１２０は、転送待ちの表示画像データＤ２、Ｄ３のうち、最新である表示画像データＤ３を車両情報サーバ２１０に転送する。そして、かかる表示画像データＤ３を転送している間に、ＵＩ装置１１０から表示画像データＤ４、Ｄ５を受信し、表示画像データＤ２、Ｄ４、Ｄ５が転送待ちになる。
【００４４】
（３）通信機１２０は、転送待ちの表示画像データＤ２、Ｄ４、Ｄ５のうち、最新の表示画像データＤ５を車両情報サーバ２１０に転送する。そして、かかる表示画像データＤ５を転送している間に、ＵＩ装置１１０から表示画像データＤ６、Ｄ７を受信し、表示画像データＤ２、Ｄ４、Ｄ６、Ｄ７が転送待ちになる。
【００４５】
（４）通信機１２０は、転送待ちの表示画像データＤ２、Ｄ４、Ｄ６、Ｄ７のうち、最新の表示画像データＤ７を車両情報サーバ２１０に転送する。このとき、通信状況の改善等により、表示画像データの転送を０．５秒で完了可能になると、通信機１２０は、ＵＩ装置１１０から新たな表示画像データＤ８を受信する前に、表示画像データＤ７の転送を完了する。以降、通信機１２０は、設定内容に含まれる１秒毎よりも短い０．５秒毎に表示画像データの転送を行う。
【００４６】
（５）通信機１２０は、転送待ちの表示画像データＤ２、Ｄ４、Ｄ６のうち、最新の表示画像データＤ６を車両情報サーバ２１０に転送する。そして、かかる表示画像データＤ６を転送している間に、ＵＩ装置１１０から表示画像データＤ８を受信し、表示画像データＤ２、Ｄ４、Ｄ８が転送待ちになる。
【００４７】
（６）通信機１２０は、転送待ちの表示画像データＤ２、Ｄ４、Ｄ８のうち、最新の表示画像データＤ８を車両情報サーバ２１０に転送する。そして、表示画像データＤ２、Ｄ４が転送待ちになる。
【００４８】
（７）通信機１２０は、転送待ちの表示画像データＤ２、Ｄ４のうち、最新の表示画像データＤ４を車両情報サーバ２１０に転送する。そして、かかる表示画像データＤ４を転送している間に、ＵＩ装置１１０から表示画像データＤ９を受信し、表示画像データＤ２、Ｄ９が転送待ちになる。
【００４９】
（８）通信機１２０は、転送待ちの表示画像データＤ２、Ｄ９のうち、最新の表示画像データＤ９を車両情報サーバ２１０に転送する。そして、表示画像データＤ２が転送待ちになる。
【００５０】
（９）通信機１２０は、転送待ちの表示画像データＤ２を車両情報サーバ２１０に転送し、かかる表示画像データＤ２を転送している間に、ＵＩ装置１１０から表示画像データＤ１０を受信する。即ち、画面転送の遅延が解消する。以降、通信機１２０は、設定内容に沿って、ＵＩ装置１１０により１秒毎に生成される表示画像データを、１秒毎に車両情報サーバ２１０に転送する。
【００５１】
なお、（４）では、通信機１２０の通信状況の改善を想定しているが、上述の如く、ＵＩ装置１１０が表示画像データの生成間隔を２秒から４秒に長くしてもよい。
【００５２】
このようにして、情報センタ２００（車両情報サーバ２１０）に、ＵＩ装置１１０の最新の表示画面に対応する表示画像データを転送することができると共に、最終的には、ＵＩ装置１１０により生成される表示画像データの全てを転送することができる。
【００５３】
続いて、ステップＳ５にて、端末２２０は、車両情報サーバ２１０から転送される表示画像データに応じて、車両１００におけるＵＩ装置１１０の表示画面（に対応する画面）を表示する。そして、オペレータＯＰは、端末２２０を介して、かかる表示画面を確認しながら、通話機能を介して、車両状態や操作方法等をユーザＵに伝える。また、オペレータＯＰは、表示画像データの転送継続の要否を判断し、必要に応じて、画面転送コマンド（再取得、継続、中止等）を端末２２０に生成させる。
【００５４】
なお、端末２２０に表示される表示画面は、車両情報サーバ２１０から転送される表示画像データをそのまま表示するものであってもよいし、かかる表示画像データに基づき、端末２２０で構成した画像であってもよい。例えば、ＵＩ装置１１０に表示可能な画面のそれぞれに管理ＩＤが予め設定されている場合、端末２２０は、予め内部メモリ等に格納される表示画像データに対応する管理ＩＤを有する画面データと、表示画像データ内のカーソル座標位置の情報等からＵＩ装置１１０に表示されている表示画面と同様の画面を生成し表示してもよい。
【００５５】
続いて、ステップＳ６にて、車両１００に搭乗するユーザＵ或いはオペレータＯＰが通話機能を終了すると、表示画像データの情報センタ２００への転送も終了する。
【００５６】
ここで、図２を参照しつつ、図１に示す遠隔支援システム１による動作の流れをより具体的に説明する。
【００５７】
図２は、本実施形態に係る遠隔支援システムによる具体的な動作の流れの一例を示すシーケンス図である。
【００５８】
図２を参照するに、ユーザＵがＵＩ装置１１０の通話機能を起動すると、ＵＩ装置１１０は、通信機１２０を介して、情報センタ２００にオペレータＯＰの呼び出し要求を送信する。これにより、ユーザＵとオペレータＯＰとの会話が開始される。
【００５９】
そして、オペレータＯＰは、ユーザＵとの会話に応じて、表示画像データの転送が必要と判断すると、端末２２０を介して、画面転送機能を起動する。これにより、端末２２０により画面転送コマンドが生成されると共に、車両情報サーバ２１０に画面転送コマンドがセット（記憶）される。
【００６０】
通信機１２０は、ユーザＵとオペレータＯＰとの通話の開始後、定期通信（定期的に、車両情報サーバ２１０にコマンドが存在するか否かを確認する通信）を行う（図中の点線矢印）。そのため、車両情報サーバ２１０に画面転送コマンドがセットされた後の定期通信のタイミングにて、通信機１２０は、画面転送コマンドの存在を確認すると共に、かかる確認動作に応じて、車両情報サーバ２１０は、画面転送コマンドを車両１００（通信機１２０）に送信する。
【００６１】
なお、図中において、以降の定期通信に相当するシーケンスは、省略されている。
【００６２】
通信機１２０は、情報センタ２００（車両情報サーバ２１０）から画面転送コマンドを取得すると、ＵＩ装置１１０に転送し、ＵＩ装置１１０は、画面転送コマンドの設定内容等を解釈する。ここで、かかる画面転送コマンドの設定内容には、画面転送のタイミングとして、ユーザＵによる承認後である旨の設定が含まれる。そのため、ＵＩ装置１１０は、ユーザＵが情報センタ２００への表示画像データの転送を承認するための承認画面を表示し、ユーザＵに確認させる。
【００６３】
かかる承認画面に応じて、ユーザが承認操作を行うと、ＵＩ装置１１０は、画面転送コマンドに含まれる設定内容（画像品質や送信頻度等）に従い、表示画像データを生成する。そして、ＵＩ装置１１０は、表示画像データを情報センタ２００（車両情報サーバ２１０）に送信する。
【００６４】
車両情報サーバ２１０は、表示画像データを受信すると、端末２２０に転送し、端末２２０は、車両１００（ＵＩ装置１１０）の表示画面（に対応する画面）を表示する。そして、オペレータＯＰは、ＵＩ装置１１０の表示画面に対応する表示内容を確認して、車両状態を判断し、ユーザＵからの要望や相談等への対応案を検討する。また、オペレータＯＰは、端末２２０を介して、画面転送の継続の要否を設定する。例えば、オペレータＯＰがユーザＵからの要望に応えるために画面転送の継続が必要と判断すると、図中に示すように、端末２２０における画面転送機能を継続し、端末２２０が画面転送コマンドを生成する。以下、画面転送に係る車両１００（ＵＩ装置１１０、通信機１２０）及び情報センタ２００（車両情報サーバ２１０、端末２２０）の動作は、上述した内容と同様である。但し、本実施例では、画面転送を継続する場合、ユーザＵによる承認操作に依らず、ＵＩ装置１１０は、情報センタ２００へ表示画像データを送信する構成を採用している。
【００６５】
オペレータＯＰが画面転送の終了を決定し、端末２２０における画面転送機能を終了すると、端末２２０は、画面転送機能を終了するコマンド（終了コマンド）を生成し、車両情報サーバ２１０にセット（記憶）される。そして、車両１００（通信機１２０）による定期通信に応じて、車両情報サーバ２１０は、終了コマンドを車両１００（通信機１２０）に送信する。これにより、終了コマンドを受信した通信機１２０は、終了コマンドをＵＩ装置１１０に転送し、ＵＩ装置１１０は、画面転送（情報センタ２００への表示画像データの送信）を終了する。
【００６６】
なお、オペレータＯＰは、ユーザＵから別途要望がある場合、上述した画面転送機能等を利用しながら、要望に対する案内を継続する。また、通話機能が終了されると、情報センタ２００（車両情報サーバ２１０）から車両１００（通信機１２０）に終了コマンドが送信されていない場合でも、ＵＩ装置１１０は、画面転送を終了する。
【００６７】
このように、本実施形態では、通信機１２０が定期的に車両情報サーバ２１０と通信を行うことで、画面転送コマンドの有無を確認し、車両情報サーバ２１０上に画面転送コマンドが存在する場合、画面転送コマンドを取得すると共に、ＵＩ装置１１０に転送する。そして、ＵＩ装置１１０は、情報センタ２００への表示画像データの転送を承諾するための承諾画面を表示すると共に、ユーザＵによる表示画像データの転送を承諾する操作が行われると、通信機１２０を介して、車両情報サーバ２１０に表示画像データを送信する。これにより、情報センタ２００（車両情報サーバ２１０）からの要求に応じて、車両１００（ＵＩ装置１１０、通信機１２０）から無条件で、ＵＩ装置１１０の表示画面に対応する情報が送信されることがないため、セキュリティ性の向上を図ることができる。
【００６８】
また、ユーザＵは、簡単な承諾操作を行うのみでよいため、セキュリティ性の向上のために、煩雑な操作を行う必要もない。
【００６９】
また、本実施形態では、車両１００（通信機１２０）から情報センタ２００（車両情報サーバ２１０）にセットされるコマンドを定期的に確認する構成を採用することにより、画面転送、コマンド転送、通話等を単一の通信機１２０で実現することができる。そのため、ユーザＵの携帯電話等を利用する必要がない。
【００７０】
また、本実施形態では、端末２２０におけるオペレータＯＰの操作に応じて生成され、車両情報サーバ２１０から車両１００（通信機１２０）に転送される画面転送コマンドに、画面転送のタイミング、画像品質等の設定内容が含まれる。即ち、情報センタ２００から画面転送のタイミングや画像品質などを指定することができると共に、かかる指定内容をその都度変更することができる。
【００７１】
ここで、図１、２に示す実施例にて、オペレータＯＰは、通話機能を介して、ユーザＵの要望等に応えるが、端末２２０を介して、ＵＩ装置１１０に表示される表示画面を遠隔操作してもよい。以下、図３を用いて、かかる実施例について説明する。
【００７２】
図３は、本実施形態に係る遠隔支援システム１の構成及び動作の流れの他の例を示す概略図である。
【００７３】
なお、本実施例に係る遠隔支援システム１の構成は、図１に示す実施例と同様であるため、説明を省略し、動作の流れのみ説明する。また、前提として、既に、車両１００に搭乗するユーザＵとオペレータＯＰとの会話が開始されていると共に、車両１００（通信機１２０）から情報センタ２００への画面転送が既に開始されている（即ち、端末２２０にＵＩ装置１１０の表示画面が表示されている）。
【００７４】
ステップＳ１１にて、端末２２０は、オペレータＯＰによる操作に応じて、ＵＩ装置１１０の表示画面の遠隔操作を実行する旨のコマンドを生成し、車両情報サーバ２１０にセット（記憶）される。
【００７５】
なお、表示画面の操作には、表示画面を遷移させる操作（画面遷移操作）や車載機器の操作画面における設定を確定させる操作等が含まれる。
【００７６】
ステップＳ１２にて、通信機１２０は、定期的に、車両情報サーバ２１０にセットされるコマンドの有無を確認し、遠隔操作を実行する旨のコマンドの存在を確認すると、通信ネットワーク３００を介して、車両情報サーバ２１０からコマンドを取得する。そして、通信機１２０は、取得したコマンドをＵＩ装置１１０に転送する。
【００７７】
ステップＳ１３にて、ＵＩ装置１１０は、情報センタ２００によるＵＩ装置１１０の表示画面の遠隔操作を承諾するための承諾画面を表示する。ユーザＵは、かかる承諾画面の内容に沿って、情報センタ２００（端末２２０）によるＵＩ装置１１０の表示画面の遠隔操作を承諾する操作（承諾操作）を行う。
【００７８】
ステップＳ１４にて、ＵＩ装置１１０は、ユーザＵによる承諾操作に応じて、表示画像データを通信機１２０に出力し、通信機１２０は、かかる表示画像データを車両情報サーバ２１０に転送する。
【００７９】
ステップＳ１５にて、車両情報サーバ２１０は、車両１００（通信機１２０）から受信した表示画像データを端末２２０に転送し、端末２２０は、かかる表示画像データに応じて、ＵＩ装置１１０の表示画面（に対応する画面）を表示する。
【００８０】
ステップＳ１６にて、オペレータＯＰは、端末２２０に表示されたＵＩ装置１１０の表示画面上で、所望の操作を実行する。そして、端末２２０は、かかる操作に応じて、操作コマンドを生成し、車両情報サーバ２１０にセット（記憶）される。
【００８１】
なお、操作コマンドには、画面遷移後の画面に対応するＩＤ情報や、車載機器の操作画面上におけるカーソルの座標位置とかかる座標位置における決定操作に対応する情報等が含まれる。
【００８２】
ステップＳ１７にて、ＵＩ装置１１０は、ステップＳ１２と同様、通信機１２０を介して、車両情報サーバ２１０から操作コマンドを取得する。
【００８３】
ステップＳ１８にて、ＵＩ装置１１０は、操作コマンドの操作内容に応じて、表示画面の操作を実行する。例えば、操作コマンドに含まれるＩＤ情報に対応する画面に遷移させたり、操作コマンドに含まれる座標位置にカーソルを移動すると共に、決定操作を行い、車載機器の設定を行ったり等する。そして、ＵＩ装置１１０は、表示画面の操作結果（例えば、表示画像データ等）を通信機１２０に出力し、通信機１２０は、かかる操作結果を車両情報サーバ２１０に転送する。
【００８４】
ステップＳ１９にて、車両１００に搭乗するユーザＵ或いはオペレータＯＰが通話機能を終了すると、情報センタ２００によるＵＩ装置１１０の表示画面の遠隔操作も終了する。
【００８５】
このように、本実施例では、情報センタ２００から車両１００に送信される操作コマンドにより、ＵＩ装置１１０の表示画面を遠隔操作することができる。そのため、車両１００の走行中等、ユーザＵによる複雑な操作が困難な状況や複雑な操作が制限されるべき状況であっても、ユーザＵは、オペレータＯＰとの通話により、ＵＩ装置１１０の表示画面の操作を任意に行うことができる。
【００８６】
また、本実施例では、通信機１２０が定期的に車両情報サーバ２１０と通信を行うことで、遠隔操作を実行する旨のコマンドの有無を確認し、車両情報サーバ２１０にかかるコマンドが存在する場合、かかるコマンドを取得すると共に、ＵＩ装置１１０に転送する。そして、ＵＩ装置１１０は、情報センタ２００によるＵＩ装置１１０の表示画面の遠隔操作を承諾するための承諾画面を表示すると共に、ユーザＵによる承諾操作が行われると、情報センタ２００（端末２２０）からＵＩ装置１１０の遠隔操作が可能になる。これにより、情報センタ２００（車両情報サーバ２１０）からの要求に応じて、無条件で、ＵＩ装置１１０の表示画面の遠隔操作が行われる事態を回避することができるため、セキュリティ性を向上することができる。
【００８７】
以上、本発明を実施するための形態について詳述したが、本発明はかかる特定の実施形態に限定されるものではなく、特許請求の範囲に記載された本発明の要旨の範囲内において、種々の変形・変更が可能である。
【符号の説明】
【００８８】
１  遠隔支援システム（車両用遠隔支援システム）
１００  車両
１１０  ユーザインターフェース装置（車載表示部、操作部）
１２０  通信機（通信部）
１３０、１３０ａ、１３０ｂ  制御装置
１４０  車載ＬＡＮ
２００  情報センタ（センタ）
２１０  車両情報サーバ（サーバ）
２１１  車両ＤＢ
２１２  顧客ＤＢ
２２０  端末（遠隔支援部）
２３０  問題解決サーバ
２３１  案内ＤＢ
３００  通信ネットワーク
Ｕ  ユーザ（搭乗者）
ＯＰ  オペレータ
【図１】
2017004116.tif 000003
【図２】
2017004116.tif 000004
【図３】
2017004116.tif 000005